(57)【要約】【課題】迅速かつ確実に自動車の化粧プレートの取り外しをできるようにする。【解決手段】正規のナンバープレートを、頭部にねじ穴が加工された少なくとも１つのねじ穴加工付ねじにより自動車両に固定し、化粧プレートをナンバープレートの上から重ねて配置し、少なくとも１つの別個のねじをねじ穴加工付ねじのねじ穴に嵌合させることで化粧プレートを固定した自動車両用ナンバープレート構造により達成される。【選択図】図３
0003145598.tif 000002
【実用新案登録請求の範囲】
【請求項１】
正規のナンバープレートを、頭部にねじ穴が加工された少なくとも１つのねじ穴加工付ねじにより自動車両に固定し、化粧プレートをナンバープレートの上から重ねて配置し、少なくとも１つの別個のねじをねじ穴加工付ねじのねじ穴に嵌合させることで化粧プレートを固定した自動車両用ナンバープレート構造。
【考案の詳細な説明】
【技術分野】
【０００１】
本考案は、自動車両用ナンバープレート構造に関する。
【背景技術】
【０００２】
自動車販売店において自動車の販売の際に顧客に自動車の試乗を促すことがあるが、顧客によっては自動車を買わなければならないという義務感や事故のリスクなどの理由のために、プレミアムな輸入車を運転するのを怖がる人もいるため、顧客を説得して試乗させるための一定の準備時間が必要となる。一方、いざ顧客が試乗を決意しても、試乗のための準備時間が長すぎれば気が変ってしまうこともありうる。
【０００３】
ところで、通常販売店においては自動車に化粧プレート（ナンバープレートカバー）を付ける必要があるため、販売店では、１つのねじを使って２枚のナンバープレートと化粧プレートを１つにしているか（図１参照）、化粧プレートのみを装着している。このように、ナンバープレートの上に化粧プレートを付ける必要があるのに対し、道路で実際に試乗するときは、化粧プレートを取り外す必要がある。
【０００４】
この化粧プレートの取り外し作業を実現するためには、販売員はオフィスに戻り、プラスドライバー又はマイナスドライバーを握り、化粧プレートを取り外し、正規のナンバープレートが見えるようにする必要がある。そして、これには平均４，５分の時間がかかるため、準備時間が長くなればその分興味のあった顧客も冷めてしまう。
【０００５】
また、自動車の試乗の際に限らず、自動車の写真撮影の際にも化粧プレートの取り付け・取り外し作業を伴うため、これらの作業に時間を取られてしまうという問題もあった。
【０００６】
特許文献１は、ねじの頭部に穴が掘られておりこの穴に別なねじが螺合するように構成された特殊なねじを開示している。
【０００７】
【特許文献１】ＤＥ１０２００４００５３２８Ａ１
【考案の開示】
【考案が解決しようとする課題】
【０００８】
そこで、本考案は、このような特殊なねじを使用してナンバープレート及び化粧プレートを自動車両に装着することで、迅速かつ確実に化粧プレートの取り外しをできるようにすることを課題とする。
【課題を解決するための手段】
【０００９】
この課題は、正規のナンバープレートを、頭部にねじ穴が加工された少なくとも１つのねじ穴加工付ねじにより自動車両に固定し、化粧プレートをナンバープレートの上から重ねて配置し、少なくとも１つの別個のねじをねじ穴加工付ねじのねじ穴に嵌合させることで化粧プレートを固定した自動車両用ナンバープレート構造により解決される。
【考案の効果】
【００１０】
本考案によれば、上側ねじは指で回すことができ、ゆえに販売店の顧客にセールを行う際に試乗を促進しようとするとき、多大な時間を節約することができる。興味のある顧客はほとんど待たされることはなく、よって顧客の熱が冷めることはない。
【００１１】
また、上側ねじを取り外す際、下側ねじは依然として正規のナンバープレートを保持したままであり、新たにナンバープレートを取り付ける必要はない。
【考案を実施するための最良の形態】
【００１２】
以下に本考案の実施形態を説明する。
図２は、本考案で使用するねじ穴加工付ねじ及び割入ローレットねじを示す。下側ねじ１は、その頭部中央部に雌螺子が形成されたねじ穴加工付ねじ１であり、当該穴に上側ねじ２の雄螺子が螺合する。上側ねじ２は、図示されるように、頭部にマイナスドライバーを挿入することができる溝が掘られ、頭部の周囲に滑り止めのギザギザが付けられ指でも回動させることができる割入ローレットねじ２である。
【００１３】  図３に示すように、スパナなどを用いて下側ねじ１を回転させ、正規のナンバープレート３を自動車に固定した後、このナンバープレート３に重ねて化粧プレート４を載せ、その上から上側ねじ２を下側ねじ１の雌螺子に挿入して回すことで化粧プレート４を取り付けることができる。上側ねじ２は割入ローレットねじであり、従って上側ねじ２の固定は指又はマイナスドライバーなどにより簡単かつ迅速に行うことができる。ナンバープレート３と同じ大きさの化粧プレート４を重ねて取り付けることにより、外側からは化粧プレート４に表示された「（公序良俗違反につき、不掲載）  Ｐｒｅｍｉｕｍ  Ｓｅｌｅｃｔｉｏｎ」という文字のみが見え、その下に隠された正規のナンバープレート３の文字は見えない。【００１４】
図４は、ねじ及びプレートの断面図を示す。割入ローレットねじはねじ穴加工付ねじに螺合し、ナンバープレート３と化粧プレート４は重なって締め付けられているのが分かる。
【００１５】
図５は、フロント及びリアに取り付けられた化粧プレート４の正面図である。上図のフロントの場合、ナンバープレート３と化粧プレート４は上側２か所に穴が開けられており、この上側２か所において、２つのねじ穴加工付ねじ及び割入ローレットねじによって自動車に固定される。下図のリアの場合、通常ナンバープレート３の左側のねじは固定・封印されているため、封印部分に嵌まるように化粧プレート４の左側の穴は大きく開けられ、穴の上からゴム部材で固定できるようになっている。一方、右側の穴は前記と同様に割入ローレットねじが挿入され、両プレートは固定される。ここで、穴の位置や大きさは従来と同様である。
【００１６】
化粧プレート４を取り外す場合は、割入ローレットねじを指又はマイナスドライバーなどで簡単かつ迅速に取り外すことができ、ナンバープレート３はすでに取り付けられているため、改めてこれを取り付ける作業に時間を取られることはなく、即座に試乗することができる。
【００１７】
なお、自動車は２輪、３輪、４輪などの自動車両でもよい。また、ねじ穴加工付ねじの頭部は六角に限られず他の形状でもよく、割入ローレットねじは他のボルトなどでもよい。
【図面の簡単な説明】
【００１８】
【図１】従来のナンバープレートと化粧プレートの取り付けを示す斜視図である。
【図２】本考案で使用するねじ穴加工付ねじと割入ローレットねじを示す。
【図３】本考案に従うナンバープレートと化粧プレートの取り付けを示す斜視図である。
【図４】本考案に従うねじ及びプレートの断面図を示す。
【図５】フロント及びリアに取り付けられた化粧プレートの正面図である。
【符号の説明】
【００１９】
１  ねじ穴加工付ねじ
２  割入ローレットねじ
３  ナンバープレート
４  化粧プレート
【図１】
0003145598.tif 000003
【図５】
0003145598.tif 000004
【図２】
0003145598.tif 000005
【図３】
0003145598.tif 000006
【図４】
0003145598.tif 000007
【手続補正書】
【提出日】平成20年7月24日(2008.7.24)
【手続補正１】
【補正対象書類名】明細書
【補正対象項目名】００１３
【補正方法】変更
【補正の内容】
【００１３】
図３に示すように、スパナなどを用いて下側ねじ１を回転させ、正規のナンバープレート３を自動車に固定した後、このナンバープレート３に重ねて化粧プレート４を載せ、その上から上側ねじ２を下側ねじ１の雌螺子に挿入して回すことで化粧プレート４を取り付けることができる。上側ねじ２は割入ローレットねじであり、従って上側ねじ２の固定は指又はマイナスドライバーなどにより簡単かつ迅速に行うことができる。ナンバープレート３と同じ大きさの化粧プレート４を重ねて取り付けることにより、外側からは化粧プレート４に表示された「○○○  Ｐｒｅｍｉｕｍ  Ｓｅｌｅｃｔｉｏｎ」という文字のみが見え、その下に隠された正規のナンバープレート３の文字は見えない。
【手続補正２】
【補正対象書類名】図面
【補正対象項目名】図１
【補正方法】変更
【補正の内容】
【図１】
0003145598.tif 000008
【手続補正３】
【補正対象書類名】図面
【補正対象項目名】図３
【補正方法】変更
【補正の内容】
【図３】
0003145598.tif 000009
【手続補正４】
【補正対象書類名】図面
【補正対象項目名】図５
【補正方法】変更
【補正の内容】
【図５】
0003145598.tif 000010